(57)【特許請求の範囲】
【請求項１】
患者の上行大動脈を閉塞しかつ酸化血をバイパスシステムから患者に戻すカテーテルシステムにおいて、
血流管孔を備えたシャフトを有し、血流管孔は患者のための全バイパス維持が行えるサイズを有し、
シャフトに取り付けられた閉塞部材を有し、該閉塞部材は収縮形状および拡大形状を有し、拡大形状は、患者の上行大動脈を閉塞できるサイズおよび形状になり、
シャフトはまた、血流管孔と流体連通する第１および第２開口を備え、第１開口は閉塞部材の近位側に配置されかつ第２開口は閉塞部材の遠位側に配置されていることを特徴とするカテーテルシステム。
【発明の詳細な説明】
発明の背景
本発明は、患者がバイパスシステムにより維持されるときに、患者の上行大動脈を閉塞しかつ酸化血を患者に戻す方法および装置に関する。本発明は、心臓および大血管に手術を行なうときに特に有効である。
慣用的な開心術では、胸骨正中切開のように、患者の胸部に大きな切開を介して患者の心臓にアクセスする。患者の心臓が露出されたならば、種々のカテーテル、カニューレおよびクランプが患者の心臓および大血管に直接適用される。血液は、静脈カニューレを介して患者から吸引されかつ動脈戻しカニューレ（該動脈戻しカニューレは、一般に、上行大動脈の巾着縫合を介して挿入される）を介して患者に戻される。心臓は、針を用いて心停止液を上行大動脈内に注入することにより停止される。上行大動脈は、一般に、上行大動脈の回りに適用される外部クロスクランプにより閉塞され、冠状動脈を残余の動脈系から隔絶する。
心臓手術における最近の進歩により、患者の心臓に直接アクセスする必要なくして、患者の上行大動脈を閉塞し、酸化血を患者に戻しかつ心停止液を患者に供給できるカニューレおよびカテーテルが提供されている。このようなシステムは米国特許第5,584,803号、第5,478,309号および再発行特許第35,352号に開示されている。これらの特許に開示された装置および方法は、外科医が、患者の胸部を大きく切開する必要なくして、バイパス移植および弁交換等の種々の手術を患者の心臓および大血管に施すことを可能にする。このような手術は、伝統的な開心術に比べ、患者が受ける痛みおよび損傷を軽減できる。
上記米国特許第5,584,803号、第5,478,309号および再発行特許第35,352号に開示された他の長所は、大動脈の回りに外部クランプを適用するのではなく、大動脈内にバルーンを配置することにより大動脈の閉塞が行なえることである。バルーンを用いて上行大動脈を閉塞することにより、外部クロスクランプに比べ血流中に放出される血栓の量が低減される。
上記システムは、停止した心臓に広範囲の手術を施すことができるが、大動脈閉塞バルーンの配置は、大動脈弁と上腕頭動脈（brachiocephalic artery）との間の比較的小さい空間内にバルーンを位置決めしなければならないことから、しばしば挑戦的なものとなる。上腕頭動脈が不意に閉塞されるようなことがあると、右頸動脈（該頸動脈は上腕頭動脈から分岐しており、患者の脳に血液を供給する）に酸化血が供給されなくなるため危険である。大動脈弁手術を行なう場合には、バルーンの配置は特に挑戦的なものとなる。なぜならば、外科医がバルーンにより妨げられることなく大動脈弁手術を遂行できるようにするには、バルーンを大動脈弁から充分離れた位置に配置しなければならないからである。
従って本発明の目的は、患者の上腕頭動脈内に容易に配置できる閉塞部材を備えた大動脈閉塞カテーテルを提供することにある。
発明の概要
本発明は、患者の上腕頭動脈を閉塞しかつ酸化血をバイパスシステムから患者に供給する方法および大動脈閉塞カテーテルを提供する。大動脈閉塞カテーテルは、患者の動脈系内への穿通により挿入されかつ上腕頭動脈と上行大動脈との間の結合部に通される。好ましい実施形態では、大動脈閉塞カテーテルは、患者の腋窩動脈または鎖骨下動脈への穿通を介して患者の動脈系に入るのが好ましい。
大動脈閉塞カテーテルは、上行大動脈内に配置されかつ患者の上行大動脈を閉塞すべく拡大されて冠状動脈を患者の残余の動脈から隔絶する閉塞部材を有している。閉塞部材（好ましくはバルーン）は、閉塞部材の近位端と遠位端との間の部分に沿ってカテーテルシャフトに取り付けらるのが好ましい。閉塞部材が拡大されるとき、閉塞部材はシャフトの一方の側に拡大される。好ましい実施形態では、閉塞部材の拡大側は、大動脈弁に向かって拡大するように位置決めされる。
大動脈閉塞カテーテルはまた、酸化血を患者に戻すための第１および第２開口を備えた血流管孔を有している。第１および第２開口は閉塞部材の両側に配置されており、これにより、酸化血が閉塞部材の両側に供給される。開口の１つが、酸化血を、上腕頭動脈と大動脈弓との結合部より上流側で動脈に供給し、一方、他の開口が酸化血を身体の残部に供給する。閉塞部材の両側に開口を設けることの長所は、上腕頭動脈の閉塞によっても、酸化血が閉塞部材の両側に供給されるので患者に危険を与えないことである。大動脈閉塞カテーテルの他の長所は、閉塞部材を大動脈弁から離れた位置に容易に位置決めでき、これにより、大動脈弁手術を遂行する作業空間を最大化できることである。
また、大動脈閉塞カテーテルは、好ましくは、閉塞部材の両側の圧力を測定するための２つの圧力管孔を有している。２つの圧力管孔を設けるのが好ましいが、必須なのは１つの圧力管孔だけである。圧力管孔は、閉塞部材の両側の血圧を測定する圧力モニタに連結される。圧力モニタは、過度に高いまたは低い血圧（特に、頸動脈の過度に高い血圧）を防止するのに使用される。
上記および他の特徴は、好ましい実施形態の以下の説明から明らかになるであろう。
【図面の簡単な説明】
第１図は、患者の心臓および血管系の部分断面図であり、バイパスシステムと組み合わせられた本発明の大動脈閉塞カテーテルを示すものである。
第２図は、第１図の大動脈閉塞カテーテルを示す拡大図である。
第３図は、第１図および第２図の大動脈閉塞カテーテルを示す側面図である。
第４図は、第３図のＡ−Ａ線に沿う断面図である。
第５図は、他の大動脈閉塞カテーテルを示す断面図である。
第６図は、更に別の大動脈閉塞カテーテルを示す断面図である。
第７図は、ワイヤ強化形血流管孔を形成する方法を示す縦断面図である。
第８図は、加熱後の第７図の構造を示す縦断面図である。
第９図は、第２ワイヤ強化形血流管孔の形成方法を示す縦断面図である。
第１０図は、加熱後の第９図の構造を示す縦断面図である。
第１１図は、大動脈閉塞カテーテルの断面図であり、圧力管孔および膨張管孔を、第４図の大動脈閉塞カテーテルのワイヤ強化形血流管孔に付加する方法を示すものである。
第１２図は、大動脈閉塞カテーテルの断面図であり、圧力管孔および膨張管孔を、第５図の大動脈閉塞カテーテルのワイヤ強化形血流管孔に付加する方法を示すものである。
第１３図は、大動脈閉塞カテーテルの断面図であり、圧力管孔および膨張管孔を、第６図の大動脈閉塞カテーテルのワイヤ強化形血流管孔に付加する方法を示すものである。
好ましい実施形態の説明
第１図には、患者の心臓を停止させかつ患者を通る酸化血の循環を維持するためのシステムが示されている。このシステムは本発明による大動脈閉塞カテーテル２および他のシステムを例示する目的で示されており、本発明には、その範囲を逸脱することなく、カテーテル、カニューレおよび同類の器具を使用できる。
任意の適当な位置で患者の血管系内に挿入された静脈カニューレ４を介して、血液が患者から吸引される。第１図は、大腿静脈を通って患者の右心房内に通された静脈カニューレ４を示している。また、血液は、肺血管系を通して患者の心臓に通気する通気カテーテル６を介して患者から吸引される。通気カテーテル６を使用するのが好ましいが、心臓の通気は、肺動脈を穿通する針のような他の任意の装置を用いて行なうこともできる。
静脈カニューレ４および通気カテーテル６を介して吸引された血液は、バイパスシステム１０（好ましくは、患者を通して酸化血をポンピングするポンプを有している）に導かれる。また、バイパスシステム１０には、次の装置すなわち、熱交換器、酸化器、フィルタ、バブルトラップおよび心臓切開リザーバのうちの１つ以上を含めることができる。バイパスシステム１０には外部酸化器を含めるのが好ましいが、患者自身の肺を使用して血液を酸化することもできる。
血液がバイパスシステム１０に通された後、酸化血は、バイパスシステム１０から大動脈閉塞カテーテル２（該大動脈閉塞カテーテルについては、後に詳述する）を介して患者に戻される。大動脈閉塞カテーテル２は閉塞部材１２を有し、該閉塞部材１２は患者の上行大動脈を閉塞するバルーンが好ましい。上行大動脈を閉塞すると冠状動脈が残余の動脈系から隔絶され、これにより、心臓が酸化血を受け入れることおよび手術が完了する前に早期スタートすることが防止される。閉塞部材１２を膨張させるため、膨張流体源１４（食塩水が充満された注射器が好ましい）が使用される。
患者の心臓は任意の方法を用いて停止され、好ましい方法は心停止液を使用することである。心停止液は、冠状静脈洞を通して順行的または逆行的に投与することができる。第１図に示すシステムは順行的および逆行的注入の両方を示しているが、必要なのは一方の注入形式のみである。心停止液は任意の種類のものを使用でき、好ましい心停止液は、晶質心停止液と血液との混合物である血液心停止液（blood cardioplegia）である。心停止液源１６は、心停止液剤と混合して心停止液を形成するため、バイパスシステム１０から血液を吸引する。心停止液は、針１８を用いて順行的に導入されかつ冠状静脈洞カテーテル２０を用いて逆行的に導入される。冠状静脈洞カテーテル２０は、内頸静脈を通って、右心房内および冠状静脈洞２０内に通される。好ましくは、冠状静脈洞カテーテル２０は、冠状静脈洞を閉塞するためのバルーン（図示せず）を有している。冠状静脈洞カテーテル２０は末梢静脈を通して前進させるのが好ましいが、簡単に右心房の開口を通すこともできる。
ここで第１図〜第３図に示すように、大動脈閉塞カテーテル２は、酸化血をバイパスシステム１０から患者に戻すための血液戻し管孔２２を有している。血液戻し管孔２２は、バイパスシステム１０からの酸化血を閉塞部材１２の両側に注入するための近位側開口２４および遠位側開口２６を有している。近位側開口２４を通して酸化血を供給すると、酸化血は、腋窩動脈、鎖骨下動脈および頸動脈等の上腕頭動脈の下流側の動脈に供給される。カテーテル２の開端部２８を含む遠位側開口２６を通して酸化血を供給すると、酸化血は、身体の残部に供給される。近位側開口２４は好ましくは0.02〜0.2インチ（より好ましくは0.04インチ）の直径を有し、近位側開口２４の数は３〜６０個の間が好ましい。近位側開口２４の全面積は、遠位側開口２６の面積の約５〜３０％（より好ましくは、約１０％）であり、これにより、より多量の酸化血が遠位側開口２６を通ることができる。なぜならば、患者の動脈系の大部分は閉塞部材１２より遠位側にあるからである。血液戻し管孔２２は、バイパスシステム１０への連結に適した慣用的な逆目コネクタ３０に終端している。血液戻し管孔２２は、ベンザルコニウムヘパリンのような慣用的な無トロンボーゲンコーティング（athrombogenic coating）でコーティングし、血液に与えるダメージを最小にするのが好ましい。また、患者内へのカテーテル２の導入を容易にするため、カテーテル２の外面を潤滑性コーティングでコーティングすることができる。任意の適当なコーティングを使用でき、好ましいコーティングとしてポリビニルピロリドンがある。
引き続き第１図〜第３図を参照して説明すると、大動脈閉塞カテーテル２は、上腕頭動脈から患者の大動脈弓に入りかつ穿通により鎖骨下動脈、腋窩動脈または上腕動脈に入るのが好ましい。第１図は、大動脈閉塞カテーテル２が、穿通により腋窩動脈に入りかつ鎖骨下動脈および上腕頭動脈を通るところを示している。大動脈閉塞カテーテル２を穿通により挿入しかつ患者の動脈を通して前進させるとき、非外傷性遠位端を形成すべく、栓塞子３２が血液戻し管孔２２内に配置される。Ｘ線透視を用いて、最初にガイドワイヤ２３が動脈に通される。次に、大動脈閉塞カテーテル２およびこれに同伴する栓塞子３２が一緒にガイドワイヤ２３上に通され、第２図に示すようにカテーテルを位置決めする。ひとたびカテーテル２が位置決めされたならば、栓塞子３２およびガイドワイヤ２３が除去される。次に、カテーテル２を通って血液が流れ得るようにすることによりカテーテル２から該全ての空気を除去し、またカテーテル２は次にバイパスシステム１に連結される。
第１図および第２図に示すように、大動脈閉塞カテーテル２は、上腕頭動脈を閉塞または部分的に閉塞すべく位置決めされる。これは、通常、危険な状態を招くが、近位側開口２４が、鎖骨下動脈、頸動脈および腋窩動脈のような上腕頭動脈より下流側にある動脈に酸化血を供給するので、上腕頭動脈を完全に閉塞しても問題は生じない。かくして、本発明の大動脈閉塞カテーテル２の長所は、閉塞部材１２が患者の大動脈弁から離れた位置に容易に位置決めできるため、大動脈弁との接触が問題にならないと同時に、上腕頭動脈の閉塞によって頸動脈への血液供給が遮断されないことである。大動脈閉塞カテーテル２は、閉塞部材１２が大動脈弁から離れて位置決めされるため、大動脈弁手術を行なうときに特に有効である。
第１図〜第４図に示すように、大動脈閉塞カテーテル２は、閉塞部材１２の近位側および遠位側の圧力をモニタリングするための、圧力モニタ３８に連結された第１および第２圧力管孔３４、３６を有している。第１および第２圧力管孔３４、３６は、それぞれ、第１および第２圧力ポート３５、３７を有している。圧力管孔３４、３６を設けることが好ましいが、圧力検出は、圧力変換器を用いる等の他の任意の方法で行なうことができる。圧力モニタ３８は、近位側および遠位側開口２４、２６を通して血液を供給するときに血圧が過度に高くまたは低くなることを防止するのに使用される。例えば、遠位側開口２６が閉塞すなわち遮断されると、全ての血液が強制的に近位側開口２４を通されることになるが、これによって上腕頭動脈および頸動脈に好ましくない高い血圧が生じるであろう。患者に血液を供給するときに過度に高い血圧を防止するため、減圧弁（図示せず）を設けることができる。或いは、バイパスシステム１０に圧力センサを連結して酸化血の供給を調節することにより、過度の血圧を防止することができる。第１および第２圧力管孔３４、３６の両方を設けるのが好ましいが、いずれか一方の圧力管孔のみ（例えば第１管孔３４のみ）を設けることもできる。圧力管孔３４、３６は、圧力モニタ３８への連結に適したコネクタ３３を有している。
第４図には、大動脈閉塞カテーテル２の断面が示されている。圧力管孔３４、３６は、閉塞部材１２を膨張させるのに使用される膨張管孔３８に対向する位置に配置されている。大動脈閉塞カテーテル２は、カテーテルシャフト４０の周囲に螺旋状に巻回されたワイヤ３９で補強するのが好ましい。第５図は圧力管孔３４、３６および膨張管孔３８が互いに隣接して配置されている別の構造を示し、第６図は、圧力管孔３４、３６および膨張管孔３８が大動脈閉塞カテーテル２の周方向に間隔を隔てて配置された構造を示す。カテーテル２の製造方法を以下に詳細に説明する。
再び第１図〜第３図を参照すると、閉塞部材１２は、任意の適当な弾性材料または非弾性材料（好ましくはポリウレタン）で作られる膨張バルーンが好ましい。閉塞部材１２は、該部材１２の近位端４２と遠位端４４との間の側面４１に沿ってシャフト４０に接合するのが好ましい。この結果、閉塞部材１２は第１図〜第３図に示すように、シャフト４０の一方の側方に膨張される。閉塞部材１２はその側面４１をシャフト４０に接合するのが好ましいが、閉塞部材１２の近位端４２および遠位端４４のみをシャフト４０に接合して、閉塞部材１２がシャフト４０の全周方向に拡大できるように構成することもできる。閉塞部材１２を膨張させるための膨張開口４６を備えた膨張管孔３８は、閉塞部材１２を膨張させる膨張流体源１４に連結するのに適したコネクタ４８を有している。
第２図および第４図に示すように、シャフト４０はワイヤ３９で補強するのが好ましい。シャフト４０はワイヤ補強形構造にするのが好ましいが、シャフト４０は押出し成形のような他の適当な構造にすることができる。カテーテル２は、非常に可撓性が高く、自由状態で実質的に直線状になるのが好ましい。或いは、カテーテル２の遠位端は、第３図に破線５０で示すように僅かに湾曲させることができる。
第７図〜第１０図を参照して、ワイヤ補強形シャフト４０の製造方法を説明する。この方法は、補強チューブ５２を製造することから開始される。第１チューブ５４がマンドレル（図示せず）に取り付けられ、ワイヤ３９が、第７図および第９図の縦断面図に示す態様で第１チューブ５４の周囲に螺旋状に巻回される。ワイヤ３９は、0.001〜0.015インチ（好ましくは0.007インチ）の直径をもつステンレス鋼が好ましい。次に、ワイヤ３９上に第２チューブ５６が配置され、第１および第２チューブ５４、５６が熱収縮性チューブ（図示せず）内に封入されて、第１および第２チューブ５４、５６およびワイヤ３９が、それぞれ第８図および第１０図に示す補強チューブ５２を形成する。第１および第２チューブ５４、５６は、0.001〜0.010インチの厚さを有するのが好ましく、より好ましくは0.003インチの厚さを有する。第１および第２チューブ５４、５６は任意の適当な材料で作ることができ、好ましい材料はポリウレタンである。
ワイヤ３９は、シャフト４０のより大きな間隔を隔てた周回部分５８（該部分５８に、近位側開口２４および遠位側開口２６がワイヤ３９を切断することなく形成される）が形成されるようにして第２チューブ５６の回りに巻回されるのが好ましい。第７図および第８図は、近位側開口２４および遠位側開口２６が形成される部分５８で、ワイヤ３９の隣接部分間に約0.040インチの均一な間隔が形成されているところが示されている。第９図および第１０図は、小さい間隔と大きい間隔とが交互に形成されているところを示し、近位側開口２４および遠位側開口２６は大きい間隔を有する部分５８に形成される。更に別の方法は、ワイヤ３９を切断することなく近位側開口２４および遠位側開口２６を形成できる充分に大きい均一間隔をシャフト４０の全長に亘って形成する方法である。第８図および第１０図には、ワイヤ３９の隣接部分間の僅かな凹みが示されているが、これらの凹みは、後述のようにして圧力管孔３４、３６および膨張管孔３８が付加されるときに、最終的に充填される。
第８図および第１０図に示す補強チューブ５２が形成された後、第１および第２圧力管孔３４、３６および膨張管孔３８が補強チューブ５２に接合される。第１１図〜第１３図には、第４図〜第６図に示す断面構造を形成する方法がそれぞれ示されている。第１１図は、Ｄ形押出し成形体６０により一体に形成された圧力管孔３４、３６を示し、Ｄ形押出し成形体６０は、膨張管孔３８用の他のＤ形押出し成形体６２に対向して配置されている。第１２図は、圧力管孔３４、３６および膨張管孔３８の両者が単一のＤ形押出し成形体６４により形成されているものを示している。第１３図には、圧力管孔３４、３６および膨張管孔３８の各々が別々のＤ形押出し成形体６６、６８、７０により形成され、かつ管孔３４、３６、３８が互いに間隔を隔てて配置されているところが示されている。
圧力管孔３４、３６および膨張管孔３８上には、外側チューブ７２が配置される。好ましくは、外側チューブ７２を膨張させておき、次に、補強チューブ５２、圧力管孔３４、３６および膨張管孔３８を外側チューブ７２内に配置する。次に外側チューブ７２を収縮させ、第１１図〜第１３図に示すように、外側チューブ７２を圧力管孔３４、３６、膨張管孔３８および補強チューブ５２の回りに緊縮させる。外側チューブ７２は第１および第２チューブ５４、５６と同じ材料で作るのが好ましく、0.001〜0.010インチ（より好ましくは0.003インチ）の厚さを有する。外側チューブ７２上には熱収縮性チューブ（図示せず）が配置され、全構造体が加熱されて第４図〜第６図の一体構造が形成される。次に、圧力管孔３４、３６の圧力ポート３５、３７、膨張管孔３８の開口４６、および血液戻し管孔２２の近位側開口２４および遠位側開口２６が形成される。血液戻し管孔２２の外側に圧力管孔３４、３６および膨張管孔３８を付加することの長所は、圧力ポート３５、３７および膨張管孔３８の開口４６がワイヤ３９を切断しないことにある。
大動脈閉塞カテーテル２は好ましくはポリウレタンで作られた柔軟先端部７４を有し、該柔軟先端部７４は、この位置をＸ線透視を用いて視認できるようにするため、Ｘ線不透過性材料をドーピングしておくのが好ましい。柔軟先端部７４は補強チューブ５２の成形後にシャフト４０の端部に接合され、従って先端部７４がワイヤ３９で補強されることはない。カテーテル２および閉塞部材１２の視認性および位置決め能力を一層向上させるため、閉塞部材１２の両側にＸ線不透過性マーカ７６が設けられる。柔軟先端部７４を貫通する遠位側開口２６も形成されている。
以上は本発明の好ましい説明であるが、本発明の範囲から逸脱することなく種々の変更を行なうことができる。例えば、閉塞部材１２はバルーン以外の膨張可能部材にすることができ、大動脈閉塞カテーテル２は、遠位端を上腕頭動脈内に入れて左鎖骨下動脈等の他の動脈に通すことにより逆方向に使用でき、かつ大動脈閉塞カテーテル２には、患者の上行大動脈に心停止液を供給しかつ大動脈根に通気するための管孔を設けることもできる。かくして、上記説明は、請求の範囲で定められる本発明の範囲を制限するものではない。
【図１】
0004334022.tif 000002
【図２】
0004334022.tif 000003
【図３】
0004334022.tif 000004
【図４】
0004334022.tif 000005
【図５】
0004334022.tif 000006
【図６】
0004334022.tif 000007
【図７】
0004334022.tif 000008
【図８】
0004334022.tif 000009
【図９】
0004334022.tif 000010
【図１０】
0004334022.tif 000011
【図１１】
0004334022.tif 000012
【図１２】
0004334022.tif 000013
【図１３】
0004334022.tif 000014